(57)【要約】【課題】搭載部品の大幅なコストアップや大型化を伴うことなく高周波ノイズと漏洩電流をともに抑制することができるノイズフィルタ回路を備えた電気機器を提供する。【解決手段】インバータ回路６と、ノイズフィルタ回路４Ａと、電源リレーＭＲＹ１とを備え、ノイズフィルタ回路４Ａが、コンデンサＣ３及びＣ４と、リレーＲＹ１とを有し、コンデンサＣ３が、一対の電源ラインの電源リレーＭＲＹ１が設けられている方と機器本体アースとの間に設けられ、コンデンサＣ４が、一対の電源ラインの電源リレーＭＲＹ１が設けられていない方と機器本体アースとの間に設けられ、リレーＲＹ１が、一対の電源ラインの電源リレーＭＲＹ１が設けられていない方と機器本体アースとのコンデンサＣ４を介した接続の非遮断／遮断を切り替える空気調和機。【選択図】図１
2008301585.tif 000002
【特許請求の範囲】
【請求項１】
インバータ回路と、外部電源の出力電圧に基づく電圧を前記インバータ回路に供給するための一対の電源ライン上を前記インバータ回路の高周波ノイズが伝導することを抑制するノイズフィルタ回路と、前記一対の電源ラインの一方のライン上の前記外部電源と前記ノイズフィルタ回路との間に設けられる電源リレーとを備えた電気機器において、
前記ノイズフィルタ回路が、第１のコンデンサ、第２のコンデンサ、及び切り替え手段を有し、
前記第１のコンデンサが、前記一対の電源ラインの前記電源リレーが設けられている方と機器本体アースとの間に設けられ、
前記第２のコンデンサが、前記一対の電源ラインの前記電源リレーが設けられていない方と前記機器本体アースとの間に設けられ、
前記切り替え手段が、少なくとも、前記一対の電源ラインの前記電源リレーが設けられていない方と前記機器本体アースとの前記第２のコンデンサを介した接続の非遮断／遮断を切り替えることを特徴とする電気機器。
【請求項２】
前記電気機器が空気調和機であって、
前記第１のコンデンサと前記第２のコンデンサが直列に接続され、前記第１のコンデンサと前記第２のコンデンサとの接続点と前記機器本体アースとの間に設けられるスイッチ素子が前記切り替え手段である請求項１に記載の電機機器。
【請求項３】
前記外部電源の出力電圧に基づく電圧を入力する電源回路を備え、
前記電源回路の出力電圧によって前記スイッチ素子が制御される請求項２に記載の電気機器。
【請求項４】
前記インバータ回路を制御するマイクロコンピュータを備え、
前記マイクロコンピュータによって前記スイッチ素子が制御される請求項２に記載の電気機器。
【請求項５】
待機状態中は前記スイッチ素子がオフになり、運転中は前記スイッチ素子がオンになる請求項２〜４のいずれかに記載の電気機器。
【発明の詳細な説明】
【技術分野】
【０００１】
本発明は、大電流（例えば２０［Ａ］程度）が流れる電源ライン上をインバータ回路で発生する高周波ノイズが伝導することを抑制するノイズフィルタ回路を備えた電気機器（例えば空気調和機）に関する。
【背景技術】
【０００２】
大電流（例えば２０［Ａ］程度）が流れる電源ライン上をインバータ回路で発生する高周波ノイズが伝導することを抑制するノイズフィルタ回路を備えた電気機器として、ここでは室内機、室外機分離式インバータ型空気調和機を例に挙げて説明する。
【０００３】
従来の室内機、室外機分離式インバータ型空気調和機の一般的な構成を図７に示す。図７に示す空気調和機は、電源リレーＭＲＹ１及び端子板２を有する室内機１００と、端子板３、ノイズフィルタ回路４、全波整流回路５、平滑コンデンサＣ５、インバータ回路６、圧縮機７、スイッチング電源回路８、及びマイコン９を有する室外機２００とによって構成されている。端子板２及び３のＮ端子同士、端子板２及び３のＬ端子同士はそれぞれ配線によって接続され、インバータ回路６とマイコン９とはフォトカプラ等の絶縁素子（不図示）を介して接続される。図７に示す空気調和機の運転中においては、通常、２０［Ａ］程度の電流が電源ラインに流れ、また、平滑コンデンサＣ５の容量が大きいため、待機状態から運転状態に移行した場合にはより大きな突入電流が電源ラインに流れるため、電源リレーＭＲＹ１はそれらの大電流に耐えることができる仕様にする必要がある。
【０００４】
図７に示す空気調和機の運転中においては、室内機１００の電源コードが外部の商用交流電源１へ接続されている状態で電源リレーＭＲＹ１がオンになっており、商用交流電源１から出力される交流電圧が、室内機１００を経由して室外機２００に供給され、全波整流回路５及び平滑コンデンサＣ５によって整流且つ平滑化された後、室外機２００内のインバータ回路６及びスイッチング電源回路８に供給され、スイッチング電源回路８が平滑コンデンサＣ５の両端電圧から各種ＤＣ電圧を生成してマイコン９その他の回路に電源電圧として供給し、室外機２００内のインバータ回路６が、マイコン９からの制御に従って内部のパワースイッチング素子をオン／オフさせることにより平滑コンデンサＣ５の両端電圧を所望周波数の交流電圧に変換し、その所望周波数の交流電圧が室外機２００内の圧縮機７に供給され、圧縮機７が動作する。したがって、室外機２００内のインバータ回路６では、パワースイッチング素子のオン／オフによりスイッチングノイズが発生している。
【０００５】
このスイッチングノイズは、室外機２００内部の電源ラインから室内機１００へ伝わり、最終的には室内機１００の電源コードから外部の商用交流電源１へ伝導し、商用交流電源１に接続している他の機器に悪影響を及ぼす。このようなスイッチングノイズの伝導を抑制するために、室外機２００内にノイズフィルタ回路４を設置している。
【０００６】
一般的には、このノイズフィルタ回路４には、図７に示すように、コモンモードノイズを抑制するコモンモードチョークコイルＬ１のほか、ノーマルモードノイズを抑制するコンデンサＣ１及びＣ２をＡＣ電源ラインＬＮ１、ＬＮ２間に設け、さらに、コモンモードノイズを抑制するコンデンサＣ３を一対のＡＣ電源ラインの一方ＬＮ１と室外機２００の本体アースとの間に設け、コモンモードノイズを抑制するコンデンサＣ４を一対のＡＣ電源ラインの他方ＬＮ２と室外機２００の本体アースとの間に設けており、このような構成により室外機２００の電源ラインにノイズが伝導することを抑制している。
【０００７】
しかし、上記構成のノイズフィルタ回路４においては、待機中（このとき、室内機１００の電源コードが外部の商用交流電源１へ接続されている状態で、電源リレーＭＲＹ１がオフである。）には商用交流電源１から端子板２のＬ端子、端子板３のＬ端子、コンデンサＣ４を通じて室外機２００の本体アースへ漏洩電流が流れ、運転中（このとき、室内機１００の電源コードが外部の商用交流電源１へ接続されている状態で、電源リレーＭＲＹ１がオンである。）には、商用交流電源１から端子板２、端子板３、コンデンサＣ３及びＣ４を通じて室外機２００の本体アースへ漏洩電流が流れる。この漏洩電流の最大値は電気用品規格として定められており、１ｍＡ以下に抑えなければならない。
【０００８】
上記漏洩電流を低減する方法として、圧縮機７内部のコイルと圧縮機７のケースとの間の容量成分を低減する方法がある。圧縮機７内部のコイルと圧縮機７のケースとの間の容量成分を低減するには、圧縮機７内部のコイルと冷媒とが触れる量を減らせば良く、最近の空気調和機では圧縮機７内部のコイルの巻き方を工夫して、圧縮機７内部のコイルと圧縮機７のケースとの間の容量成分を減らしている。
【０００９】
上記漏洩電流を低減する他の方法として、ノイズフィルタ回路４のコモンモードノイズを抑制するコンデンサＣ３及びＣ４の容量を減らす方法がある。しかしながら、コモンモードノイズを抑制するコンデンサＣ３及びＣ４の容量を下げ過ぎると、ノイズフィルタとしての効果がなくなり、インバータ回路６のパワースイッチング素子から発生するスイッチングノイズの外部の商用交流電源１への伝導が多くなってしまうおそれがある。したがって、コモンモードノイズを抑制するコンデンサＣ３及びＣ４の容量は、漏洩電流の最大値の規格値を満足し、さらに商用交流電源１に伝導する高周波ノイズの値が所定の規格値を満足するように定数を設定している。
【特許文献１】特開平１１−１４６５５７号公報
【特許文献２】特開平６−２３７５２６号公報
【発明の開示】
【発明が解決しようとする課題】
【００１０】
万一、コモンモードノイズを抑制するコンデンサＣ３及びＣ４の容量定数が、漏洩電流の最大値の規格値を満足し、さらに商用交流電源１に伝導する高周波ノイズの値が所定の規格値を満足するように設定ができない場合は、漏洩電流の最大値の規格値を満足するように定数設定を行った上で、ノイズフィルタ回路４にフェライトコアを追加するなどの他のノイズ対策を施さなければならない。
【００１１】
なお、漏洩電流が最大になるのは、待機状態のとき、すなわち、室内機１００の電源コードが外部の商用交流電源１へ接続されている状態で、電源リレーＭＲＹ１がオフであるときである。したがって、コモンモード用のコンデンサＣ３及びＣ４の容量を大きくして外部の商用交流電源１へのスイッチングノイズの伝導を抑えた場合でも漏洩電流の最大値が規格値を満足するようにするためには、一対の電源ラインの一方のみについて非遮断／遮断を切り替える電源リレーＭＲＹ１を、図８に示すように、一対の電源ラインの両方について遮断する非遮断／遮断を切り替える両切電源リレーＭＲＹ２に変更する必要がある。しかし、この両切電源リレーＭＲＹ２は、電源ラインに設けられるため電源リレーＭＲＹ１と同様に大電流に耐えることができる仕様にする必要があり、尚かつ、内部接点が両切りになるため形状が大きくなりコストもアップしてしまう。当然、両切電源リレーＭＲＹ２の代わりに片側電源リレーを２個使用する場合も同じように形状及びコストが大きくなってしまう。
【００１２】
なお、特許文献１に記載の漏洩電流抑制回路では、待機状態において、２つのＹコンデンサの接続点と筐体との間の電圧がツェナーダイオードのツェナー電圧より大きい場合には、漏洩電流が流れるので、十分に漏洩電流を抑制することができなかった。
【００１３】
本発明は、上記の状況に鑑み、搭載部品の大幅なコストアップや大型化を伴うことなく高周波ノイズと漏洩電流をともに抑制することができるノイズフィルタ回路を備えた電気機器を提供することを目的とする。
【課題を解決するための手段】
【００１４】
上記目的を達成するために本発明に係る電気機器は、インバータ回路と、外部電源の出力電圧に基づく電圧を前記インバータ回路に供給するための一対の電源ライン上を前記インバータ回路の高周波ノイズが伝導することを抑制するノイズフィルタ回路と、前記一対の電源ラインの一方のライン上の前記外部電源と前記ノイズフィルタ回路との間に設けられる電源リレーとを備え、前記ノイズフィルタ回路が、第１のコンデンサ、第２のコンデンサ、及び切り替え手段を有し、前記第１のコンデンサが、前記一対の電源ラインの前記電源リレーが設けられている方と機器本体アースとの間に設けられ、前記第２のコンデンサが、前記一対の電源ラインの前記電源リレーが設けられていない方と前記機器本体アースとの間に設けられ、前記切り替え手段が、少なくとも、前記一対の電源ラインの前記電源リレーが設けられていない方と前記機器本体アースとの前記第２のコンデンサを介した接続の非遮断／遮断を切り替える構成である。
【００１５】
このような構成によると、前記一対の電源ラインの前記電源リレーが設けられていない方と前記機器本体アースとの前記第２のコンデンサを介した接続を遮断していなければ漏洩電流が大きく前記高周波ノイズが小さい状態（例えば待機状態）のときには、前記切り替え手段が、前記一対の電源ラインの前記電源リレーが設けられていない方と前記機器本体アースとの前記第２のコンデンサを介した接続を遮断することにより、漏洩電流を零にすることができる。これにより、高価でサイズの大きい両切電源リレー或いは２個の片側電源リレーを使用することなく、漏洩電流を抑制することができる。一方、前記一対の電源ラインの前記電源リレーが設けられていない方と前記機器本体アースとの前記第２のコンデンサを介した接続を遮断していなくても漏洩電流が比較的小さい状態（例えば運転状態）のときには、前記切り替え手段が、前記一対の電源ラインの前記電源リレーが設けられていない方と前記機器本体アースとの前記第２のコンデンサを介した接続を遮断しないようにすることにより、前記高周波ノイズを抑制することができる。これにより、フェライトコアを追加するなどの他のノイズ対策を施すことなく、前記第１のコンデンサ及び前記第２のコンデンサの容量を大きくすることのみで前記高周波ノイズを十分に抑制することができる。
【００１６】
また、上記構成の電気機器において、前記電気機器が空気調和機であって、前記第１のコンデンサと前記第２のコンデンサが直列に接続され、前記第１のコンデンサと前記第２のコンデンサとの接続点と前記機器本体アースとの間に設けられるスイッチ素子を前記切り替え手段とすることが望ましい。これにより、前記ノイズフィルタ回路の構成がシンプルになる。
【００１７】
また、上記空気調和機である電気機器において、前記外部電源の出力電圧に基づく電圧を入力する電源回路を備え、前記電源回路の出力電圧によって前記スイッチ素子が制御されるようにしてもよく、前記インバータ回路を制御するマイクロコンピュータを備え、前記マイクロコンピュータによって前記スイッチ素子が制御されるようにしてもよい。さらに、待機状態中は前記スイッチ素子がオフになり、運転中は前記スイッチ素子がオンになるようにすることが望ましい。
【発明の効果】
【００１８】
本発明によると、搭載部品の大幅なコストアップや大型化を伴うことなく高周波ノイズと漏洩電流をともに抑制することができるノイズフィルタ回路を備えた電気機器を実現することができる。
【発明を実施するための最良の形態】
【００１９】
本発明の実施形態について図面を参照して以下に説明する。まず、本発明の第一実施形態について説明する。本発明の第一実施形態に係る空気調和機の構成を図１に示す。なお、図１において図７と同一の部分については同一の符号を付し、詳細な説明を省略する。
【００２０】
図１に示す本発明の第一実施形態に係る空気調和機は、室内機、室外機分離式インバータ型空気調和機であって、電源リレーＭＲＹ１及び端子板２を有する室内機１００と、端子板３、ノイズフィルタ回路４Ａ、全波整流回路５、平滑コンデンサＣ５、インバータ回路６、圧縮機７、スイッチング電源回路８、及びマイコン９を有する室外機２０１とによって構成されている。端子板２及び３のＮ端子同士、端子板２及び３のＬ端子同士はそれぞれ配線によって接続されている。
【００２１】
図１に示す本発明の第一実施形態に係る空気調和機が具備する室外機２０１は、図７に示す従来の空気調和機が具備する室外機２００のノイズフィルタ回路４をノイズフィルタ回路４Ａに置換した構成である。そして、ノイズフィルタ回路４Ａは、ノイズフィルタ回路４にリレーＲＹ１を付加した構成である。
【００２２】
室外機２０１内のノイズフィルタ回路４Ａにおいて、リレーＲＹ１は、コモンモードノイズを抑制するコンデンサＣ３とコンデンサＣ４との接続ノードと、室外機２０１の本体アースとの間に設けられている。リレーＲＹ１のリレーコイルの各端部はスイッチング電源回路８の出力側に接続されている。
【００２３】
上記構成の図１に示す本発明の第一実施形態に係る空気調和機の動作について以下に説明する。
【００２４】
待機状態のとき、すなわち、室内機１００の電源コードが外部の商用交流電源１（外部電源）へ接続されている状態で、電源リレーＭＲＹ１がオフであるとき、商用交流電源１から室内機１００を介して室外機２０１への電力供給がなく、スイッチング電源回路８が動作しないので、リレーＲＹ１のリレーコイルの両端に電圧が印加されず、リレーＲＹ１はオフになる。したがって、待機状態のとき、コモンモードノイズを抑制するコンデンサＣ３とコンデンサＣ４との接続ノードと、室外機２０１の本体アースとが遮断され、漏洩電流が流れない。また、待機状態のときは、商用交流電源１から室内機１００を介して室外機２０１への電力供給がなく、インバータ回路６が動作しておらずスイッチングノイズが発生していないので、コモンモードノイズを抑制するコンデンサＣ３とコンデンサＣ４との接続ノードと、室外機２０１の本体アースとが遮断され、ノイズフィルタとしての効果がなくなっていても何ら問題は生じない。
【００２５】
これに対して、運転状態のとき、すなわち、室内機１００の電源コードが外部の商用交流電源１へ接続されている状態で、電源リレーＭＲＹ１がオンであるとき、商用交流電源１から室内機１００を介して室外機２０１へ電力が供給され、スイッチング電源回路８が動作するので、リレーＲＹ１のリレーコイルの両端に所定の電圧（Ｖｃｃ−０［Ｖ］、例えば１２［Ｖ］、２４［Ｖ］など）が印加され、リレーＲＹ１はオンになる。したがって、運転状態のとき、コモンモードノイズを抑制するコンデンサＣ３とコンデンサＣ４との接続ノードと、室外機２０１の本体アースとが遮断されないので、ノイズフィルタとしての効果を奏し、インバータ回路６で発生するスイッチングノイズの伝導を抑えることができる。また、運転状態のときは、コモンモードノイズを抑制するコンデンサＣ３とコンデンサＣ４との接続ノードと、室外機２０１の本体アースとが遮断されないので、漏洩電流が流れるが、運転状態のときの漏洩電流レベルは元々低いので、図７に示す従来の空気調和機の漏洩電流の最大値に比べて十分小さい（図２に示す漏洩電流参照）。ここで、待機状態、運転状態、待機状態と順に移行した場合の動作タイムチャートを図２に示す。図２中の実線で示す漏洩電流は図１に示す本発明の第一実施形態に係る空気調和機の漏洩電流を表しており、図２中の点線で示す漏洩電流は図７に示す従来の空気調和機の漏洩電流を表している。
【００２６】
上記の通り、図１に示す本発明の第一実施形態に係る空気調和機が具備するノイズフィルタ回路４Ａは、スイッチング電源回路８の制御により、待機状態において漏洩電流を抑え、運転状態においてスイッチングノイズの伝導を抑えるので、スイッチングノイズと漏洩電流をともに抑制することができる。また、ノイズフィルタ回路４ＡのリレーＲＹ１には漏洩電流が流れるだけであるので、小電流タイプのリレー、すなわち低廉かつ小型のリレーをリレーＲＹ１に用いることができる。したがって、図１に示す本発明の第一実施形態に係る空気調和機は、搭載部品の大幅なコストアップや大型化を伴わない。
【００２７】
次に、本発明の第二実施形態について説明する。本発明の第二実施形態に係る空気調和機の構成を図３に示す。なお、図３において図１と同一の部分については同一の符号を付し、詳細な説明を省略する。
【００２８】
図３に示す本発明の第二実施形態に係る空気調和機は、リレーＲＹ１のリレーコイルの一端がマイコン９に接続されている点で図１に示す本発明の第一実施形態に係る空気調和機と異なり、その他の構成は図１に示す本発明の第一実施形態に係る空気調和機と一致する。
【００２９】
上記構成の図３に示す本発明の第二実施形態に係る空気調和機の動作について以下に説明する。
【００３０】
待機状態のとき、すなわち、室内機１００の電源コードが外部の商用交流電源１へ接続されている状態で、電源リレーＭＲＹ１がオフであるとき、商用交流電源１から室内機１００を介して室外機２０１への電力供給がなく、スイッチング電源回路８が動作しないので、マイコン９も動作せず、リレーＲＹ１のリレーコイルの一端がオープン状態になり、リレーＲＹ１のリレーコイルの両端に電圧が印加されず、リレーＲＹ１はオフになる。したがって、待機状態のとき、コモンモードノイズを抑制するコンデンサＣ３とコンデンサＣ４との接続ノードと、室外機２０１の本体アースとが遮断され、漏洩電流が流れない。また、待機状態のときは、商用交流電源１から室内機１００を介して室外機２０１への電力供給がなく、インバータ回路６が動作しておらずスイッチングノイズが発生していないので、コモンモードノイズを抑制するコンデンサＣ３とコンデンサＣ４との接続ノードと、室外機２０１の本体アースとが遮断され、ノイズフィルタとしての効果がなくなっていても何ら問題は生じない。
【００３１】
これに対して、運転状態のとき、すなわち、室内機１００の電源コードが外部の商用交流電源１へ接続されている状態で、電源リレーＭＲＹ１がオンであるとき、商用交流電源１から室内機１００を介して室外機２０１へ電力が供給され、スイッチング電源回路８が動作するので、マイコン９も動作し、マイコン９の動作によりリレーＲＹ１のリレーコイルの一端が０［Ｖ］に固定され、リレーＲＹ１のリレーコイルの両端に所定の電圧（Ｖｃｃ−０［Ｖ］、例えば１２［Ｖ］、２４［Ｖ］など）が印加され、リレーＲＹ１はオンになる。したがって、運転状態のとき、コモンモードノイズを抑制するコンデンサＣ３とコンデンサＣ４との接続ノードと、室外機２０１の本体アースとが遮断されないので、ノイズフィルタとしての効果を奏し、インバータ回路６で発生するスイッチングノイズの伝導を抑えることができる。また、運転状態のときは、コモンモードノイズを抑制するコンデンサＣ３とコンデンサＣ４との接続ノードと、室外機２０１の本体アースとが遮断されないので、漏洩電流が流れるが、運転状態のときの漏洩電流レベルは元々低いので、図７に示す従来の空気調和機の漏洩電流の最大値に比べて十分小さい。
【００３２】
上記の通り、図３に示す本発明の第二実施形態に係る空気調和機が具備するノイズフィルタ回路４Ａは、マイコン９の制御により、待機状態において漏洩電流を抑え、運転状態においてスイッチングノイズの伝導を抑えるので、スイッチングノイズと漏洩電流をともに抑制することができる。また、ノイズフィルタ回路４ＡのリレーＲＹ１には漏洩電流が流れるだけであるので、小電流タイプのリレー、すなわち低廉かつ小型のリレーをリレーＲＹ１に用いることができる。したがって、図３に示す本発明の第二実施形態に係る空気調和機は、搭載部品の大幅なコストアップや大型化を伴わない。
【００３３】
次に、本発明の第三実施形態について説明する。本発明の第三実施形態に係る空気調和機の構成を図４に示す。なお、図４において図１と同一の部分については同一の符号を付し、詳細な説明を省略する。図４に示す本発明の第三実施形態に係る空気調和機は、図１に示す本発明の第一実施形態に係る空気調和機のリレーＲＹ１をフォトカプラＰＣ１に置換した構成であり、図１に示す本発明の第一実施形態に係る空気調和機と同様の効果を奏する。
【００３４】
次に、本発明の第四実施形態について説明する。本発明の第四実施形態に係る空気調和機の構成を図５に示す。なお、図５において図３と同一の部分については同一の符号を付し、詳細な説明を省略する。図５に示す本発明の第四実施形態に係る空気調和機は、図３に示す本発明の第二実施形態に係る空気調和機のリレーＲＹ１をフォトカプラＰＣ１に置換した構成であり、図３に示す本発明の第二実施形態に係る空気調和機と同様の効果を奏する。
【００３５】
最後に、本発明の第五実施形態について説明する。本発明の第五実施形態に係る空気調和機の構成を図６に示す。なお、図６において図１と同一の部分については同一の符号を付し、詳細な説明を省略する。図６に示す本発明の第五実施形態に係る空気調和機は、図１に示す本発明の第一実施形態に係る空気調和機の構成変更例であって、図１に示す本発明の第一実施形態に係る空気調和機のノイズフィルタ回路４Ａをノイズフィルタ回路４Ｃに置換した構成であり、図１に示す本発明の第一実施形態に係る空気調和機と同様の効果を奏する。なお、本発明の第二〜第四実施形態に係る空気調和機についても同様の構成変形が可能である。
【００３６】
上述した実施形態では、コモンモードノイズを抑制するコンデンサＣ４と室外機の本体アースとの間にスイッチ素子（リレーＲＹ１或いはフォトカプラＰＣ１）を設けたが、コモンモードノイズを抑制するコンデンサＣ４と室外機の本体アースとの間ではなく、コモンモードノイズを抑制するコンデンサＣ４とＡＣ電源ラインＬＮ２（待機状態において商用交流電源１と繋がっている電源ライン）との間にスイッチ素子（リレーＲＹ１或いはフォトカプラＰＣ１）を設けるようにしてもよい。また、上述した実施形態では、室内機、室外機分離式インバータ型空気調和機を例に挙げて説明を行ったが、本発明は、大電流（例えば２０［Ａ］程度）が流れる電源ライン上をインバータ回路で発生する高周波ノイズが伝導することを抑制するノイズフィルタ回路を備えた電気機器全般について適用可能である。
【図面の簡単な説明】
【００３７】
【図１】は、本発明の第一実施形態に係る空気調和機の構成を示す図である。
【図２】は、本発明の第一実施形態に係る空気調和機のタイムチャートである。
【図３】は、本発明の第二実施形態に係る空気調和機の構成を示す図である。
【図４】は、本発明の第三実施形態に係る空気調和機の構成を示す図である。
【図５】は、本発明の第四実施形態に係る空気調和機の構成を示す図である。
【図６】は、本発明の第五実施形態に係る空気調和機の構成を示す図である。
【図７】は、従来の室内機、室外機分離式インバータ型空気調和機の一般的な構成を示す図である。
【図８】は、従来の室内機、室外機分離式インバータ型空気調和機の変形例を示す図である。
【符号の説明】
【００３８】
１    商用交流電源
２、３    端子板
４、４Ａ、４Ｂ、４Ｃ    ノイズフィルタ回路
５    全波整流回路
６    インバータ回路
７    圧縮機
８    スイッチング電源回路
９    マイコン
１００、１０１    室内機
２００〜２０５    室外機
Ｃ１〜Ｃ４    コンデンサ
Ｃ５    平滑コンデンサ
Ｌ１    コモンモードチョークコイル
ＭＲＹ１  電源リレー
ＭＲＹ２  両切電源リレー
Ｒ１    抵抗
ＲＹ１    リレー
ＰＣ１    フォトカプラ
【図１】
2008301585.tif 000003
【図２】
2008301585.tif 000004
【図３】
2008301585.tif 000005
【図４】
2008301585.tif 000006
【図５】
2008301585.tif 000007
【図６】
2008301585.tif 000008
【図７】
2008301585.tif 000009
【図８】
2008301585.tif 000010